(57)【要約】【課題】手すり及びブラケットを取り外さない状態で、極めて簡単な操作で、手すり取り付け高さ、取り付け角度等の十分な調整が可能で、しかも手すりを壁側いっぱいに寄せることが可能で、階段通路の有効幅を最大限に大きくすることができ、しかも手すりに過大な衝撃力が加わっても、ブラケットが破損する恐れが少なく、耐久性能に優れている手すり用ブラケットを提供する。【解決手段】壁面に取り付ける取り付け座と手すりを支持する手すり受け部とそれらを連結する支柱とからなり、前記取り付け座と支柱との接合部が回動自在に接合された自在連結部を有しており、前記手すり用ブラケットの支柱が２つの連結片からなり、該２つの連結片の間に互いに回動自在に接合された自在連結部を有する構成とした。【選択図】        図１
2004183389.tif 000002
【特許請求の範囲】
【請求項１】
住宅の壁面に取り付けられる手すり用ブラケットであって、該ブラケットは、壁面に取り付ける取り付け座と手すりを支持する手すり受け部と前記取り付け座と手すり受け部を連結する支柱とからなり、前記取り付け座と支柱との接合部に自在連結部が設けられており、該自在連結部によって、前記支柱はブラケットを壁面に取り付けた状態で、壁面と略直角な面内で略垂直方向に回動自在に接合されており、前記ブラケットの支柱が、手すり受け部に近い方の前部連結片と取り付け座に近い方の後部連結片の、２つの連結片からなり、該２つの連結片の接合部に自在連結部が設けられており、該自在連結部によって、前記、前部連結片はブラケットを壁面に取り付けた状態で、壁面と略直角な面内で略垂直方向に回動自在に接合されていることを特徴とする手すり用ブラケット。
【請求項２】
前記、前部連結片の手すり受け部に近い方の端部に、前部連結片を回転軸として回転自在に設けられた回転部が形成されており、該回転部と前記手すり受け部との接合部に回動部が形成されており、該回動部によって、前記回転部に前記手すり受け部が傾き自在に接合されていることを特徴とする請求項１に記載の手すり用ブラケット。
【請求項３】
前記各自在連結部が緩衝機構を有していることを特徴とする請求項１又は２に記載の手すり用ブラケット。
【発明の詳細な説明】
【０００１】
【発明の属する技術分野】
本発明は住宅の壁面に手すりを取り付けるためのブラケットに関する。
【０００２】
【従来の技術】
従来からある手すり用ブラケット１１は、図３に示すように、手すり受け部１２、取り付け座１４、それらを連結する支柱１３とは互いに固定された構造となっており、住宅の廊下や階段の壁面Ｗに手すり１０を取り付ける場合、手すり取り付け箇所の壁面Ｗにブラケット１１の取り付け座１４に設けた木ネジ用穴（図示せず）を介して壁面Ｗの下地材（図示せず）に達するように木ネジ等（図示せず）をねじ込んで固定していた。従って、手すり取り付け後において、手すり取り付け高さや手すり取り付け角度など手すり位置を変更したり、階段通路の有効幅を調整する必要が生じても簡単にはできなかった。
【０００３】
あえて、調整しようとすれば、手すり１０を手すり受け部１２から取り外し、さらにブラケット１１の取り付け座１４を壁面Ｗから取り外し、手すり取り付け位置を再度寸法出ししてから取り付け施工をやり直さなければならなかった。このための手間は多大なものがあった。
【０００４】
そこで、上記の問題点を解消するべく、手摺り受け（ブラケット）の台座（取り付け座）に球面状のア−ム（支柱）取り付け面を形成し、ア−ム（支柱）を台座（取り付け座）に取り付け姿勢変更可能に取り付け、手摺り受け（ブラケット）と手すりを取り外さないで、手すり取り付け位置を微調整可能とし、階段通路等の有効幅を調整可能にしたものが提案されている。（例えば、特許文献１参照）。
【０００５】
【特許文献１】
特開平１１−４４０７４号公報（２−３頁、第１図、第４図、第５図）。
【０００６】
【発明が解決しようとする課題】
しかしながら、前述のように、図３に示すような従来型ブラケット１１では、手すり受け部１２と支柱１３の接合部及び取り付け座１４と支柱１３の接合部が固定化されているので、手すり１０の傾斜角度や手すり１０の高さ位置などの調整が全くできない。無理に調整しようとすれば、手すり１０を手すり受け部１２から取り外し、さらにブラケット１１を壁面Ｗから取り外し、取り付け位置の調整後、再度、ブラケット１１を壁面Ｗに取り付け、手すり１０を手すり受け部１２に取り付けし直すといったように、多大な手間がかかった。さらに、図３に示すような従来型ブラケット１１では、階段の有効幅の調整は全く不可能であった。
【０００７】
さらに、手すり１０に過大な負荷や衝撃力が加わると、前記接合部で加えられた衝撃力をうまく緩和させることができないで、手すり受け部１２と支柱１３の接合部又は取り付け座１４と支柱１３の接合部又は取り付け座１４と壁面Ｗとの接続箇所で破損する恐れがあった。
【０００８】
また、上記、従来型ブラケットの問題点を解決しようとした特許文献１に記載の、特開平１１−４４０７４号公報に開示されている手摺り受け（ブラケット）の構成では、ア−ム（支柱）の台座（取り付け座）に対する摺動範囲に自ずと限界があり、従って、ア−ム（支柱）の姿勢変更範囲を大きくすることは不可能であった。従って、階段通路有効幅を調整するにしても調整寸法に限界があった。さらに、手すりの取り付け角度、高さ位置などの調整にも限界があった。
【０００９】
本発明の目的は、住宅の廊下や階段の壁面に取り付けられる手すり用のブラケットであって、手すり及びブラケットを取り外さない状態で、しかも、極めて簡単な操作で、手すり取り付け高さ、手すり取り付け角度等の十分な調整が可能で、しかも、手すりを壁側いっぱいに寄せることが可能で、階段通路の有効幅を最大限に大きくすることができ、さらに、手すりに過大な負荷や衝撃力が加わっても、ブラケットの耐久性能に優れておりブラケットが破損する恐れが少ない手すり用ブラケットを提供することにある。
【００１０】
【課題を解決するための手段】
上記目的を達成するために本発明に係る請求項１に記載の発明は、住宅の壁面に取り付けられる手すり用ブラケットであって、該ブラケットは、壁面に取り付ける取り付け座と手すりを支持する手すり受け部と前記取り付け座と手すり受け部を連結する支柱とからなり、前記取り付け座と支柱との接合部に自在連結部が設けられており、該自在連結部によって、前記支柱はブラケットを壁面に取り付けた状態で、壁面と略直角な面内で略垂直方向に回動自在に接合されており、前記ブラケットの支柱が、手すり受け部に近い方の前部連結片と取り付け座に近い方の後部連結片の、２つの連結片からなり、該２つの連結片の接合部に自在連結部が設けられており、該自在連結部によって、前記、前部連結片はブラケットを壁面に取り付けた状態で、壁面と略直角な面内で略垂直方向に回動自在に接合されていることを特徴とする。
【００１１】
係る構成から、壁面に取り付けられた取り付け座と支柱の間の接合部及び支柱の２つの連結片の間にある接合部に自在連結部が設けられており、該自在連結部によって、ブラケットを壁面に取り付けた状態で、後部連結片及び前部連結片が、壁面と略直角な面内で略垂直方向に回動自在に構成されているので、前記各自在連結部を調整することで、壁面からブラケットを取り外さないで、しかも手すりを手すり受け部に取り付けたままで、手すりの取り付け高さ位置を調整したり、さらには、支柱の２つの連結片をほぼ一直線状に略垂直方向へ伸ばすことによって、手すりを壁面側に近づけ、階段有効幅を最大限に広げることができる。このように、手すりやブラケットを取り外さないで、しかも極めて簡単な操作で、手すり取り付け高さの調整が可能で、しかも手すりを壁側いっぱいに寄せることが可能で、階段通路の有効幅を最大限に大きくすることができる。
【００１２】
さらに、前記取り付け座と支柱の間及び支柱の２つの連結片の間に回動自在な自在連結部を有しており、それらが完全固定化されておらず、適度な力で係止されている。従って、住宅の廊下や階段の壁面に取り付けた手すりに過大な負荷や衝撃力が加わってもブラケットが破損する恐れが少ない。すなわち、前記接合部が完全に固定化された状態でなく、通常の手すり使用状態で加えられる外力程度では、前記自在連結部が動かないように係止されているが、ブラケットを破損させる恐れのあるような大きな衝撃力が例外的に加わった時、自在連結部の箇所で、衝撃力を吸収する方向に若干動く程度に適度に係止されているので発生した応力が分散され、緩和され、ブラケットが破損することを有効に防止することが可能となる。従って耐久性能に優れたものとなる。
【００１３】
本発明に係る請求項２に記載の発明は、請求項１に記載の手すり用ブラケットにおいて、前記、前部連結片の手すり受け部に近い方の端部に、前部連結片を回転軸として回転自在に設けられた回転部が形成されており、該回転部と前記手すり受け部との接合部に回動部が形成されており、該回動部によって、前記回転部に前記手すり受け部が傾き自在に接合されていることを特徴とする。
【００１４】
係る構成から、前記自在連結部と前記回転部と回動部の働きによって、手すりの傾斜角度を自由に変えることが可能となる。すなわち、手すりを支えている複数個の各ブラケットのそれぞれの手すり受け部の高さ位置とその傾斜角度を、手すりの好みの高さと傾斜角度に合わせるようにして、調整してやると、手すりの傾斜具合を好みに合わせて変えることができる。
【００１５】
その時、手すりを支持する複数個の手すり受け部は、前記回動部によって、前記回転部との間で必要な分だけ傾斜する構成となっている。同時に前記前部連結片を回転軸として前記回転部が必要なだけ適当量回転する。手すりが所定の傾斜角度になったところで、取り付け座と後部連結片との接合部に設けた自在連結部をネジでしっかりと適度に固定し、前部連結片と後部連結片との間の接合にもういけた自在連結部もネジでしっかりと適度に固定する。前記回動部及び回転部は、固定する必要はなく、フリ−な状態で良い。手すりが取り付けられているので使用状態においては、ぐらつくことはない。このように、極めて簡単な操作で、手すり及びブラケットを取り外さない状態で、手すり取り付け角度の調整が可能となる。
【００１６】
本発明に係る請求項３に記載の発明は、請求項１又は２に記載の手すり用ブラケットにおいて、前記、自在連結部が緩衝機構を有していることを特徴とする。
【００１７】
係る構成から、住宅の廊下や階段の壁面に取り付けた手すりに過大な負荷や衝撃力が例外的に加わっても、ブラケットの取り付け座と支柱及び支柱の二つの連結片の間に設けた自在連結部にある緩衝機構によって、加えられた荷重や衝撃力を適度に分散させ、緩和させるといった働きが、前記緩衝機構によって、よりいっそう確実に発現されるので、ブラケットの破損防止効果や耐久性能にとって、よりいっそう好適である。
【００１８】
【発明の実施の形態】
以下、本発明の実施の形態の一例を説明する。図１は本発明に係る手すり用ブラケットの実施の形態の一例を示す斜視図である。図２は本発明の手すり用ブラケットの手すり取り付け位置の調整についての説明図である。図２の（イ）は手すりの取り付け高さ位置の調整を説明する正面図である。（ロ）は階段有効幅の調整を説明する正面図である。（ハ）は手すりの取り付け角度の調整を説明する側面図である。
【００１９】
図１において、１は本発明の手すり用ブラケットを示し、該ブラケット１は壁面に取り付ける取り付け座４と手すりを支持する手すり受け部２と前記取り付け座４と手すり受け部２を連結する支柱３とから構成されている。前記取り付け座４の表面に前記支柱３を接続するための取り付け部５が設けられている。前記支柱３は手すり受け部２に近い方の前部連結片３ａと取り付け座４に近い方の後部連結片３ｂの２つに分割されており、それらの間には自在連結部７が設けられている。ブラケット１を壁面に取り付けた状態で、前記自在連結部７によって、前部連結片３ａと後部連結片３ｂは、ブラケット１の取り付け箇所の壁面に略直角な面内で略垂直方向に、互いに回動自在になるように構成されている。自在連結部７を中心として回動する仕組みに構成されている。
【００２０】
また、後部連結片３ｂと取り付け座４の表面に設けた取り付け部５との間に自在連結部６が設けられている。ブラケット１を壁面に取り付けた状態で、前記自在連結部６によって、前記後部連結片３ｂは、ブラケット１の取り付け箇所の壁面に略直角な面内で略垂直方向に回動自在になるように構成されている。自在連結部６を中心として回動する仕組みに構成されている。
【００２１】
前記自在連結部６の構造は、一例として、取り付け部５の先端に貫通孔（図示せず）が設けられた突出片Ｔを設け、他方、後部連結片３ｂの後端部は同様の貫通孔（図示せず）を設け、二股状に分岐した保持部Ｈが形成されている。前記保持部Ｈの間に貫通孔どうしの位置を合わせながら前記突出片Ｔを嵌挿させる。次にボルトとナット（図示せず）で貫通孔を利用して前記保持部Ｈとの間に嵌挿した前記突出片Ｔと保持部Ｈを緊結し、しっかりと、しかも若干ゆるめに適度に固定する。固定力の調整は緊結力を適宜調整することのできる市販のトルクレンチ等を利用して行うことができる。
【００２２】
前記支柱３の２つの連結片、すなわち前部連結片３ａと後部連結片３ｂとの間に設けた自在連結部７の構造も一例として、前記自在連結部６と同様の構造が挙げられる。支柱３の２つの連結片３ａと３ｂをボルトとナット（図示せず）にてしっかりと、しかも若干ゆるめに適度に緊結固定する。
【００２３】
自在連結部６と７において、緊結固定力は手すりの通常の使用状態においては、外部からの荷重や負荷で緊結固定部でズレが生じることのない程度にしっかりと固定しておくことが必要であるが、通常考えられる以上の大きな衝撃力や負荷が例外的にかかった時には、自在連結部が若干動いて、加わった応力を適度に吸収する程度に、若干ゆるめに固定しておくことが大切である。本例では、貫通孔（図示せず）を利用してボルトとナット（図示せず）で緊結固定する例を挙げたが、この例に限られるものではない。
【００２４】
また、図１において、本例では前記支柱３の前部連結片３ａの手すり受け部２に近い方の端部に、前部連結片３ａを回転軸として回転自在に、回転部９が設けられている。該回転部９によって手すり受け部２が前部連結片３ａを回転軸として回転自在に構成されている。前記前部連結片３ａの手すり受け部２に近い方で前記回転部９につながる部分は、適宜深さと径を有する雌ネジ部（図示せず）が形成されており、前記回転部９の手すり受け部２から遠い方の下端には、突出した雄ネジ部（図示せず）が設けられており、互いにネジ込まれて回転可能に接続されている。前記回転部９は自在連結部６と７とは異なっており、緊結固定されてはいない。自由に回転可能な構造となっている。
【００２５】
また、本例では、手すり受け部２の底部分には突出片Ｔが設けられており、前記回転部９の先端部には二股に分かれた保持部Ｈが形成されており、前記突出片Ｔが前記保持部Ｈの間に嵌挿され、回動部８が形成されている。該回動部８において、前記保持部Ｈと突出片Ｔに貫通孔（図示せず）と該貫通孔に挿入された回転芯（図示せず）が設けられており、これらによって、前記回動部８は回動自在に構成されている。前記回動部８によって、前記回転部９に前記手すり受け部２が傾き自在に接合されている。前記回動部８は自在連結部６と７とは異なっており、緊結固定されてはいない。自由に回動可能な構造となっている。
【００２６】
さらに、本発明の手すり用ブラケット１は前記自在連結部６と７に緩衝機構（図示せず）が設けられている。該緩衝機構は自在連結部６と７において、前記ボルトの頭又はナットの下面と前部連結片３ａ又は後部連結片３ｂの保持部Ｈの表面との間、及び又は保持部Ｈと突出片Ｔとの間に設けられている。緩衝機構の一例として、クッション性を有するパッキン部材（図示せず）が挙げられる。手すりに大きな衝撃力や急激な負荷がかかっても、このクッション性を有するパッキン部材の働きで、衝撃力が適度に吸収されるとともに、加えられた応力が適度に分散緩和され、ブラケットの破損が有効に防止でき、耐久性のあるブラケットとなるのである。
【００２７】
前記パッキン部材の材質は合成樹脂製の軟質又は半硬質の部材で、ナイロン、ビニロン、テトロン、ポリエステル、ウレタン等が好適なものとして挙げられる。耐摩耗性に優れ、クッション性があれば良い。
【００２８】
また、本発明の手すり用ブラケットの各部材の材質は一例を挙げれば、硬質塩化ビニル樹脂、硬質ウレタン樹脂、ＡＢＳ樹脂等の合成樹脂成型体やアルミニウム、鉄、銅などの金属製、木質材中にポリエステル樹脂等を注入して成型加工して得られたＷＰＣ素材、ナラ、ケヤキ、シタン、コクタン等の堅木の木材ムクなどが使用できる。もちろんこれらに限定されるものではない。
【００２９】
次に図２に基いて、本発明の手すり用ブラケット１の手すり位置調整機能について説明する。ブラケット１及び手すり１０を取り外さないで調整する。
【００３０】
▲１▼手すり高さ位置の調整方法。
手すり１０を支持している複数個のブラケット１の各支柱３の２つの連結片、すなわち前部連結片３ａと後部連結片３ｂにある自在連結部６と７のボルトとナット（図示せず）をゆるめる。手すり受け部２と手すり１０を手で支えて好みの高さになるように手すり１０を動かす。この時、手すり１０の傾斜角度も自由になるが、所定の角度を保持する。手すり高さが決定した後、自在連結部６と７のボルト、ナットを適度な固さにしっかりと緊結固定する。この時、回動部８と回転部９は固定されていないが、剛性のある手すり１０で複数個のブラケット１どうしが連結され、しかも自在連結部６と７は適度にしっかりと緊結固定され、取り付け座４は壁面Ｗにしっかりと固定されているので、手すり１０が、ぐらついたり、手すり１０の取り付け位置が不安定になるといった心配は全くない。このようにして手すり１０の取り付け高さ位置を調整することが可能となる。
【００３１】
▲２▼階段有効幅を広げる調整方法。
手すり１０を支持している複数個のブラケット１の各支柱３の２つの連結片、すなわち前部連結片３ａと後部連結片３ｂにある自在連結部６と７のボルトとナット（図示せず）をゆるめる。手すり受け部２と手すり１０を手で支えて支柱３の２つの連結片が略一直線状に、且つほぼ垂直になるように手すり１０を上方へ引き上げる。この状態で自在連結部６と７のボルト、ナットを適度な固さにしっかりと緊結固定する。前述したように、同様の理由で、手すり１０が、ぐらついたり、手すり取り付け位置が不安定になるといった心配は全くない。手すり１０を壁面Ｗの方にいっぱいに寄せることが可能となり、従って、階段有効幅を最大限に広げることが可能となる。
【００３２】
▲３▼手すりの傾斜角度の調整方法。
手すり１０を支持している複数個のブラケット１の各支柱３の２つの連結片、すなわち前部連結片３ａと後部連結片３ｂにある自在連結部６と７のボルトとナット（図示せず）をゆるめる。手すり受け部２と手すり１０を手で支えて好みの手すり傾斜角度になるように手すり１０を傾斜させる。この時、傾斜角度を大きくする場合は、手すり１０を支持している複数個のブラケット１どうしの手すり受け部２の高さ位置の差を大きくする方向に動かす。この時、前記回動部８及び回転部９は固定されずにフリ−状態であるので、手すり１０の傾斜角度を除々に変えながら、手すり１０の動きに合わせて連動して手すり受け部２の傾斜角度が徐々に変化する。さらに、手すり１０の動かし方によっては、手すり受け部２と壁面Ｗとの距離が若干変化するので、それに対応して、前記回転部９が必要な分だけ回転する。手すり１０が所定の傾斜角度になったところで、自在連結部６と７のボルト、ナットを適度な力でしっかりと緊結固定する。この時、回動部８と回転部９は固定されていないが、剛性のある手すり１０で複数個のブラケット１どうしが連結され、しかも自在連結部６と７は適度にしっかりと緊結固定され、取り付け座４は壁面Ｗにしっかりと固定されているので、手すりが、ぐらついたり、手すり位置が不安定になるといった心配は全くない。
【００３３】
逆に、手すり１０の傾斜角度をゆるやかにする場合は、自在連結部６と７のボルト、ナットをゆるめ、手すり１０を支持している複数個のブラケット１どうしの手すり受け部２の高さ位置の差を逆に小さくする方向に動かす。手すり１０が所定の傾斜角度になったところで、自在連結部６と７のボルト、ナットを適度な力でしっかりと緊結固定する。同様の理由で、手すり１０が、ぐらついたり、手すり位置が不安定になるといった心配は全くない。このようにして、手すり１０の傾斜角度を調整することが可能となる。
【００３４】
【発明の効果】
以上のように、本発明の手すり用ブラケットによれば、取り付け座と支柱の間の接合部及び支柱の２つの連結片の間にある接合部に回動自在な自在連結部が設けられ、ブラケットを壁面に取り付けた状態で、前記自在連結部によって前記支柱の２つの連結片が壁面と略直角な面内で略垂直方向に回動自在に構成されているので、前記各自在連結部を調整することで、ブラケットを取り外さないで、しかも手すりを手すり受け部に取り付けたままで、手すりの取り付け高さ位置を調整したり、階段有効幅を最大限に広げることができる。
【００３５】
また、手すりに過大な負荷や衝撃力が加わっても、前記自在連結部が完全固定でなく適度な力で固定されているので、大きな衝撃力や例外的な大きさの負荷に対しては、前記自在連結部が衝撃力や負荷を適度に吸収し応力を緩和する方向に働くので、ブラケットの破損を有効に防止することが可能となり、従って耐久性能に優れたものとなる。
【００３６】
また、前部連結片の手すり受け部に近い方の端部に、前部連結片を回転軸として回転自在に設けられた回転部が形成されており、該回転部と前記手すり受け部との接合部に回動部が形成されており、該回動部によって、前記回転部に前記手すり受け部が傾き自在に接合されているので、ブラケットを取り外さないで、手すりを手すり受け部に取り付けたままで、手すり傾斜角度を好みに合わせて変えることができる。
【００３７】
また、前記各自在連結部に緩衝機構を設けたので、荷重や衝撃力に対する応力分散や緩和といった働きがよりいっそう確実に発現されるので、ブラケットの破損防止や耐久性能にとって、よりいっそう好適である。
【図面の簡単な説明】
【図１】本発明に係る手すり用ブラケットの実施形態の一例を示す斜視図。
【図２】本発明の手すり用ブラケットの手すり位置調整についての説明図。
（イ）手すり取り付け高さ位置調整について説明する正面図。
（ロ）階段有効幅の調整について説明する正面図。
（ハ）手すりの取り付け角度調整について説明する側面図。
【図３】従来の手すり用ブラケットの正面図。
【符号の説明】
１      ブラケット
２      手すり受け部
３      支柱
３ａ    前部連結片
３ｂ    後部連結片
４      取り付け座
５      取り付け部
６      自在連結部
７      自在連結部
８      回動部
９      回転部
１０    手すり
Ｔ      突出片
Ｈ      保持部
Ｗ      壁面
１１    従来のブラケット
１２    従来の手すり受け部
１３    従来の支柱
１４    従来の取り付け座
【図１】
2004183389.tif 000003
【図２】
2004183389.tif 000004
【図３】
2004183389.tif 000005